(57)【要約】【課題】  既設水切り材への新設水切り材の取付けが簡単且つ容易にできる。既設水切り材の鼻隠し板からの出寸法が短くても鼻隠し板側に水が回り込まない。【解決手段】前部が上向き略Ｕ字状をした前嵌め込み部７となり且つ後部が下向き略Ｕ字状をした後嵌め込み部８となったクリップ部材９を形成する。前嵌め込み部７に前係止片１０を設けると共に後嵌め込み部８に後係止片１１を設ける。クリップ部材９の前嵌め込み部７を水切り片３の下端部に嵌め込み且つ水切り片３の下端部に設けてある後面側折り返し片１２の上面部に前係止片１０を係止してクリップ部材９を水切り片３の下端部に取付ける。新設水切り材４の取付け片５の上端部を折り返して上端折り返し片１３を形成する。該新設水切り材４の取付け片５をクリップ部材９の後嵌め込み部８に嵌め込み且つ後係止片１１に上端折り返し片１３を係止する。【選択図】図１
2008050919.tif 000002
【特許請求の範囲】
【請求項１】
屋根の軒先に取付けられた既設水切り材の軒先から下方に向けて突出する水切り片に、新設水切り材の取付け片を取付けて新設水切り材の先端を既設水切り材の水切り片よりも鼻隠し板から離れる方向に突出するように取付けるものであって、前部が上向き略Ｕ字状をした前嵌め込み部となり且つ後部が下向き略Ｕ字状をした後嵌め込み部となったクリップ部材を形成し、前嵌め込み部に前係止片を設けると共に後嵌め込み部に後係止片を設け、該クリップ部材の前嵌め込み部を水切り片の下端部に嵌め込み且つ水切り片の下端部に設けてある後面側折り返し片の上端部に前係止片を係止してクリップ部材を水切り片の下端部に取付け、新設水切り材の取付け片の上端部を折り返して上端折り返し片を形成し、該新設水切り材の取付け片をクリップ部材の後嵌め込み部に嵌め込み且つ後係止片に上端折り返し片を係止して成ることを特徴とする軒先における既設水切り材への新設水切り材の取付け構造。
【請求項２】
クリップ部材が、前部が上向き略Ｕ字状をした前嵌め込み部となり且つ後部が下向き略Ｕ字状をした後嵌め込み部となるように金属板を略Ｓ字状に折り曲げることで形成され且つ前係止片及び後係止片が金属板の一部を切り起こすことで形成してあることを特徴とする請求項１記載の既設水切り材への新設水切り材の取付け構造。
【請求項３】
下向き略Ｕ字状をした後嵌め込み部に設けた後係止片が、上端が自由端となり且つ下から上に行くほど後嵌め込み部の内部への突入巾が長くなるように傾斜していることを特徴とする請求項２記載の既設水切り材への新設水切り材の取付け構造。
【発明の詳細な説明】
【技術分野】
【０００１】
本発明は、既設水切り材に新設水切り材を取付けるための技術に関するものである。
【背景技術】
【０００２】
近年の軒先の納まりは、図５に示すように、鼻隠し板６から野地板のような屋根下地１４の軒先先端までの出寸法が短くなっている。例えば図５において、鼻隠し板６から屋根下地１４の軒先側の先端までの出寸法Ａが２０ｍｍとなっている。また、図５において、屋根下地１４の軒先側の先端から屋根材１６の軒先側の先端までの出寸法Ｂが２０ｍｍとなっている。
【０００３】
このように、鼻隠し板６から野地板のような屋根下地１４の軒先先端までの出寸法Ｂが短いと、屋根材１６の軒先側先端から流下する雨水は通常、図５のイのように鼻隠し板６の前面に固着した軒樋取付け具２０に取付けた軒樋２１に流下するのであるが、風などにより図５のロのように屋根材１６の軒先側先端から水切り材の水切り片３側に飛散し、水切り片３の下端を経て更に鼻隠し板６側に回り込み易いという問題があった。
【０００４】
そこで、既設の建物１における既設水切り材２に上記のような問題点が発生した場合、現状の対策としては、上記既設水切り材２の水切り片３に断面略Ｌ字状をした新設水切り材４を取付けることで、鼻隠し板６側に水が回り込むのを防止することが行われている。
【０００５】
既設水切り材２の水切り片３に新設水切り材４を取付けるに当っては、図６に示すようにリベット３０により固定しているが、軒先という高所における作業において上記のように鼻隠し板６から屋根下地１４の軒先側の先端までの出寸法が短い箇所におけるリベット３０による固定作業であるため、既設水切り材２の水切り片３に新設水切り材４の取付け片５を重ねてこの状態を仮保持した状態で、重ねた水切り片３と取付け片５にドリルによる下孔を穿孔する作業、穿孔した下孔へのリベット３０の挿入作業、挿入したリベット３０の先端を潰してリベット止めする作業を行わなければならず、非常に困難な作業となる。特に、長尺の既設水切り材２の水切り片３に、長尺の新設水切り材４を長手方向の複数個所で上記のようなリベット止めする作業が必要であり、一人の作業者での作業は困難で複数の作業者により作業を行う必要がある。
【０００６】
なお、既設水切り材が腐食、変色、塗装剥離等のある既設水切り材を新設の軒先唐草で覆い隠すようにするものが特許文献１により知られているが、このものにおいては、新設の軒先唐草で既設水切り材を覆うと共に新設の軒先唐草の下端の折り返し部を既設水切りの下端部に設けてある後面側折り返し片に嵌め合わせるようにしたもので、新設の軒先唐草の下端における水切り位置（水の落下位置）は既設水切り材の下端における水切り位置と同じ位置であり、このため、軒先の出が短い屋根の場合、既設水切り材の下端から水切りされて流れ落ちる水が鼻隠し板側に回りやすいという問題と同じ問題が、既設水切り材を覆う新設の軒先唐草にも残っている。
【特許文献１】特開平１１−５０６１６号公報
【発明の開示】
【発明が解決しようとする課題】
【０００７】
本発明は上記の従来の問題点に鑑みて発明したものであって、軒先という高所における既設水切り材への新設水切り材の取付けが簡単且つ容易にできて、既設水切り材の鼻隠し板からの出寸法が短くても鼻隠し板側に水が回り込まないようにできる軒先における既設水切り材への新設水切り材の取付け構造を提供することを課題とするものである。
【課題を解決するための手段】
【０００８】
上記課題を解決するために本発明に係る軒先における既設水切り材への新設水切り材の取付け構造は、屋根１の軒先に取付けられた既設水切り材２の軒先から下方に向けて突出する水切り片３に、新設水切り材４の取付け片５を取付けて新設水切り材４の先端を既設水切り材２の水切り片３よりも鼻隠し板６から離れる方向に突出するように取付けるものであって、前部が上向き略Ｕ字状をした前嵌め込み部７となり且つ後部が下向き略Ｕ字状をした後嵌め込み部８となったクリップ部材９を形成し、前嵌め込み部７に前係止片１０を設けると共に後嵌め込み部８に後係止片１１を設け、該クリップ部材９の前嵌め込み部７を水切り片３の下端部に嵌め込み且つ水切り片３の下端部に設けてある後面側折り返し片１２の上端部に前係止片１０を係止してクリップ部材９を水切り片３の下端部に取付け、新設水切り材４の取付け片５の上端部を折り返して上端折り返し片１３を形成し、該新設水切り材４の取付け片５をクリップ部材９の後嵌め込み部８に嵌め込み且つ後係止片１１に上端折り返し片１３を係止して成ることを特徴とするものである。
【０００９】
このような構成とすることで、軒先において既設水切り材２に新設水切り材４を取付けるに当たっては、既設水切り材２の水切り片３にクリップ部材９の前嵌め込み部７を下方から嵌め込んで水切り片３の下端部に設けてある後面側折り返し片１２の上面部に前係止片１０を係止してクリップ部材９を水切り片３の下端部に取付け、次に、新設水切り材４の取付け片５をクリップ部材９の後嵌め込み部８に嵌め込んで後係止片１１に上端折り返し片１３を係止することで、軒先という高所において嵌め込み係止という簡単な構成で既設水切り材２に新設水切り材４を取付けることができる。
【００１０】
また、クリップ部材９が、前部が上向き略Ｕ字状をした前嵌め込み部７となり且つ後部が下向き略Ｕ字状をした後嵌め込み部８となるように金属板を略Ｓ字状に折り曲げることで形成され且つ前係止片１０及び後係止片１１が金属板の一部を切り起こすことで形成してあることが好ましい。
【００１１】
このような構成とすることで、金属板を折り曲げ且つ切起こすことで前後嵌め込み部７、８、前後係止片１０、１１を有するクリップ部材９を形成できる。
【００１２】
また、下向き略Ｕ字状をした後嵌め込み部８に設けた後係止片１１が、上端が自由端となり且つ下から上に行くほど後嵌め込み部８の内部への突入巾が長くなるように傾斜していることが好ましい。
【００１３】
このような構成とすることで、既設水切り材２の取付け片５を後嵌め込み部８に下方から嵌め込むことで、傾斜した後係止片１１をガイドとして取付け片５の上端折り返し片１３を傾斜した後係止片１１に沿って上昇させることができるものであり、このようにして傾斜した後係止片１１をガイドとして上端折り返し片１３を上昇させて上端折り返し片１３の下端が後係止片１１の上端を通過することで、後係止片１１が上端折り返し片１３の下端部に自動的に係止するものであり、既設水切り材２に新設水切り材４を取付ける作業が容易となる。
【発明の効果】
【００１４】
本発明は、上記のように、軒先という高所において嵌め込み係止という簡単な構成で既設水切り材に新設水切り材を取付けて既設水切り材の鼻隠し板からの出寸法が短くても鼻隠し板側に水が回り込まないようにできるものであって、従来のように軒先という高所でリベット止めという煩雑な作業が必要でなく、新設水切り材の取付けが簡単且つ容易にできる。
【発明を実施するための最良の形態】
【００１５】
以下、本発明を添付図面に示す実施形態に基づいて説明する。
【００１６】
既設の建物の屋根１は、図５に示すように、野地板のような屋根下地１４の上に防水シートのような下葺材１８を葺設し、更にその上に屋根材１６を葺設することで構成してある。該既設の建物の屋根１の軒先においては、屋根下地１４の軒先部分の上面に既設水切り材２が取付けてある。
【００１７】
既設水切り材２は、金属板を折り曲げ加工して形成してあり、固定片１７の前端から下方に向けて水切り片３を突出させた断面略Ｌ字状をしている。固定片１７は屋根下地１４の軒先部分の上面に載設して釘打ちなどにより固着されるもので、固定片１７の上端部は上面側に折り返して水返し片１９が形成してある。固定片１７を屋根下地１４の軒先部分の上面に載設固着することで、水切り片３が軒先から下方に向けて突出して屋根下地１４の前端面及び鼻隠し板６の前面上部の前方に位置している。
【００１８】
なお、既設水切り材２としては水切り片３が図５のように垂直の場合だけでなく、固定片１７に対して直角となっている場合もある。
【００１９】
ところで、通常、建物の軒先に施工してある既設水切り材２においては、水切り片３の下端部を後面側に折り返して後面側折り返し片１２が形成してある。これは、金属板を折り曲げ加工して形成してあるため、水切り片３の下端に金属板の切断端がエッジとして存在すると、手などを金属板のエッジで傷付けるおそれがあるので、水切り片３の下端部を折り返すことで下端に切断端が露出しないようにしてあり、更に、水切り片３の下端部を前面側に折り返すと、外観が良くないと共に、水切り片３にかかった雨水により金属板の切断端に雨水がかかり、切断端から錆が発生すると共に折り返した部分の内部に雨水が溜まるので好ましくなく、これらの理由により建物に施工してある既設水切り材２の水切り片３の下端部には後面側に折り返した後面側折り返し片１２が形成してある。
【００２０】
鼻隠し板６の前面には軒樋取付け具２０が固着してあり、この軒樋取付け具２０には軒樋２１が取付けてある。
【００２１】
鼻隠し板６から屋根下地１４の軒先先端までの出寸法より、鼻隠し板６から屋根材１６の軒先側の先端までの出寸法が長くなっており、また、水切り片３は屋根材１６の軒先側先端よりも鼻隠し板６側にずれて位置しており、屋根材１６の軒先側先端から雨水が軒樋２１に流れ込む際に、屋根材１６の軒先側先端から流下する雨水が風などにより鼻隠し板６側に向けて飛散するような場合、水切り片３に当り、水切り片３前面を下方に流れて水切り片３の下端から下方に流下するようになっている。
【００２２】
この場合、水切り片３の下端から流下したり、飛散したりした雨水が鼻隠し板６にかからなければ問題はないが、図５に示すように、軒先の出寸法が短くなっていると、水切り片３の下端から流下したり、飛散したりした雨水が鼻隠し板６にかかる恐れが生じる場合がある。
【００２３】
このような場合、本発明においては、図１に示すように、建物の既設水切り材２の水切り片３に、後述のクリップ部材９を用いて新設水切り材４の取付け片５を取付けて鼻隠し板６側に水が飛散しないようにすることに特徴がある。
【００２４】
クリップ部材９は図４に示すような横巾の短いピース材であって、金属板を折り曲げ加工すると共に金属板の一部を切り起こすことにより形成してある。
【００２５】
すなわち、図４に示すように、金属板を略Ｓ字状に折り曲げて前部が上向き略Ｕ字状をした前嵌め込み部７となり且つ後部が下向き略Ｕ字状をした後嵌め込み部８となったクリップ部材９を形成するものである。上向き略Ｕ字状をした前嵌め込み部７は、略く字状をした前片２２の下端部から下底片２３を介して上方に向けて中央縦片２８を突出することで構成してあり、また、下向き略Ｕ字状をした後嵌め込み部８は、中央縦片２８の上端部から上底片２９を介して下方に向けて後縦片２４を突出することで構成してある。
【００２６】
上記クリップ部材９の前嵌め込み部７に前係止片１０を設けると共に後嵌め込み部８に後係止片１１を設けてある。図４の実施形態においては、中央縦片２８の一部を切り起こすことで弾性を有する前係止片１０を形成し、後縦片２４の一部を切り起こすことで弾性を有する後係止片１１を形成してある。
【００２７】
中央縦片２８の一部を切り起こして形成した前係止片１０は、下端が自由端となり且つ上から下に行くほど上向き略Ｕ字状をした前嵌め込み部７の内部への突入巾が長くなる（下にいくほど前方への突出長さが長くなる）ように前下り傾斜しており、また、後縦片２４の一部を切り起こして形成した後係止片１１は、上端が自由端となり且つ下から上に行くほど下向き略Ｕ字状をした後嵌め込み部８の内部への突入巾が長くなる（上にいくほど前方への突出長さが長くなる）ように傾斜している。
【００２８】
前嵌め込み部７の前片２２は弾性を有したく字状をしており、く字状の前片２２の屈曲部２２ａが前係止片１０に当接又は弾接している。また、く字状の前片２２の上部片２２ｂは上に行くほど中央縦片２８との間の隙間巾が広くなるように構成してある。
【００２９】
新設水切り材４は断面略Ｌ字状をした長尺のもので、縦向きとなった取付け片５の下端から横方向又は斜め下方向に向けて副水切り片２５を一体に突出させることで新設水切り材４が構成してある。
【００３０】
この新設水切り材４は金属板を折り曲げて形成したもので、取付け片５の上端部を後面側に折り返して上端折り返し片１３を形成し、副水切り片２５の先端を下面側に折り返して下面側折り返し片２６を形成してあり、このように上端折り返し片１３、下面側折り返し片２６を形成することで、新設水切り材４を取り扱う際に、金属板のエッジにより手指を傷付けることがないようにしてあり、また、後述のように新設水切り材４を既設水切り材２に取付けた状態で、上端折り返し片１３、下面側折り返し片２６に雨水がかからないようにしてあってエッジ部分から錆が発生しないようにしてある。
【００３１】
新設水切り材４を既設水切り材４に取付けるには以下のようにして行う。
【００３２】
まず、図２に示すように、建物の軒先に存在する既設水切り材２の水切り片３の下端部の長手方向に任意の間隔を隔てて複数のクリップ部材９を取付ける。水切り片３へのクリップ部材９の取付けに当たっては、既設水切り材２の水切り片３にクリップ部材９の前嵌め込み部７を下方から嵌め込んで水切り片３の下端部に設けてある後面側折り返し片１２の上面部に前係止片１０を係止してクリップ部材９を水切り片３の下端部に取付ける。
【００３３】
上記クリップ部材９の前嵌め込み部７を既設水切り材２の水切り片３に下方から嵌めこむに当たって、く字状の前片２２の上部片２２ｂが上に行くほど中央縦片２８との間の隙間巾が広くなるように傾斜しているので、この傾斜した上部片２２ｂをガイドとして容易に前嵌め込み部７を水切り片３に嵌め込むことができ、この場合、クリップ部材９を上方に移動することで、前係止片１０の先端（下端）は水切り片３の下端部を後面側に折り返した後面側折り返し片１２に弾接した状態で上昇し、後面側折り返し片１２の上端を乗り越えた時点で後面側折り返し片１２の上端部に弾性的に係止するものであり、同時にく字状の前片２２の屈曲部２２ａが水切り片３の前面を弾性的に押圧することで、前係止片１０の下端の後面側折り返し片１２の上端への係止状態が維持されることになる。
【００３４】
次に、図３に示すように、新設水切り材４の取付け片５をクリップ部材９の後嵌め込み部８に上方より嵌め込んで後係止片１１に上端折り返し片１３を係止する。
【００３５】
この場合、下向き略Ｕ字状をした後嵌め込み部８に設けた後係止片１１が、上端が自由端となり且つ下から上に行くほど後嵌め込み部８の内部への突入巾が長くなるように傾斜しているので、傾斜した後係止片１１をガイドとして取付け片５の上端折り返し片１３を傾斜した後係止片１１に沿って上昇させることができ、上端折り返し片１３の下端が後係止片１１の上端を通過することで、後係止片１１が上端折り返し片１３の下端部に自動的に弾性係止することになり、既設水切り材２に新設水切り材４を取付ける作業が容易となる。
【００３６】
上記した既設水切り材２の水切り片３へのクリップ部材９の前嵌め込み部７の取付け、クリップ部材９の後嵌め込み部８への新設水切り材４の取付け片５の取付けがいずれも、嵌め込み係止により行われるので、建物の軒先という高所での作業であるにもかかわらず、一人の作業者であっても簡単且つ確実に既設水切り材２に新設水切り材４を取付けることができる。
【００３７】
このようにして既設水切り材２に新設水切り材４を取付けることで、図１に示すように、新設水切り材４の副水切り片２５の先端が既設水切り材２の水切り片３の下端よりも下方に位置し且つ水切り片３よりも鼻隠し板６から離れる方向に突出することになり、屋根材１６の軒先側先端から流下した雨水が鼻隠し板６側に向けて飛散するような場合が生じても、水切り片３に取付けた新設水切り材４により鼻隠し板６側に飛散して回り込むのが防止され、副水切り片２５の先端から軒樋２１内に確実に流下させることができる。
【図面の簡単な説明】
【００３８】
【図１】本発明の軒先における既設水切り材への新設水切り材の取付け構造を示す断面図である。
【図２】同上の既設水切り材へのクリップ部材の取付けを示す断面図である。
【図３】同上のクリップ部材への新設水切り材の取付けを示す断面図である。
【図４】同上に用いるクリップ部材を示し、（ａ）は側面図であり、（ｂ）は正面図である。
【図５】建物における既設水切り材の取付け状態を示す断面図である。
【図６】従来における既設水切り材への新設水切り材の取付けを示す断面図である。
【符号の説明】
【００３９】
１  屋根
２  既設水切り材
３  水切り片
４  新設水切り材
５  取付け片
６  鼻隠し板
７  前嵌め込み部
８  後嵌め込み部
９  クリップ部材
１０  前係止片
１１  後係止片
１２  後面側折り返し片
１３  上端折り返し片
【図１】
2008050919.tif 000003
【図２】
2008050919.tif 000004
【図３】
2008050919.tif 000005
【図４】
2008050919.tif 000006
【図５】
2008050919.tif 000007
【図６】
2008050919.tif 000008